(57)【要約】【課題】  画像表示機能付き双眼鏡に観察対象に関わる画像情報を表示する。【解決手段】  双眼鏡１０にＬＣＤ１２と、カードスロット１９を設ける。カードスロット１９に装着されるＩＣメモリカードに、様々な分野の観察対象物の画像データ等を複数の図鑑として格納する。観察対象物を、季節、場所、大きさ等の属性に基づくカテゴリに分類する。これらの図鑑及びカテゴリを階層的に構成し、この構成にしたがってＩＣメモリカードのディレクトリ構造を構成する。図鑑を各々の観察対象物までの一般的な距離レンジに基づいて分類する。図鑑転輪１３またはマクロ切替スイッチ３１の状態に応じて観察対象物までの距離レンジを推定し、この距離レンジに含まれる図鑑を優先的に参照する。【選択図】        図１
2005078044.tif 000002
【特許請求の範囲】
【請求項１】
複数の図鑑に対応する図鑑データが格納された記録媒体と、
観察対象物までの距離に関わる距離情報を取得する距離情報取得手段と、
前記距離情報に基づき、前記複数の図鑑の中から図鑑を選択する図鑑選択手段と、
前記図鑑データの情報を表示可能な画像表示手段と
を備えることを特徴とする画像表示機能付き光学機器。
【請求項２】
前記記録媒体が、観察対象物の種々の属性に基づき分類される所定のカテゴリごとに形成された階層ディレクトリ構造を有し、前記階層ディレクトリの最上位のカテゴリが前記複数の図鑑に対応したディレクトリとして構成されることを特徴とする請求項１に記載の画像表示機能付き光学機器。
【請求項３】
前記記録媒体において、前記観察対象物の種類を特定する画像データが前記図鑑データとして最下位ディレクトリの各々に格納されるとともに、各ディレクトリを代表する画像データがガイド用データとして格納されていることを特徴とする請求項２に記載の画像表示機能付き光学機器。
【請求項４】
前記図鑑に対応するディレクトリ名に前記距離情報に対応する文字列が含まれることを特徴とする請求項２に記載の画像表示機能付き光学機器。
【請求項５】
前記距離情報に対応する文字列が所定の桁数の数字に対応していることを特徴とする請求項４に記載の画像表示機能付き光学機器。
【請求項６】
前記図鑑が観察対象物が含まれると推定される複数の距離レンジに基づいて分類され、前記図鑑選択手段が、前記距離情報に対応する距離レンジに分類される図鑑を選択し、前記文字列が前記距離レンジに対応する情報を含むことを特徴とする請求項４に記載の画像表示機能付き光学機器。
【請求項７】
前記図鑑が複数の距離レンジに分類され、前記図鑑選択手段が、前記距離情報に対応する距離レンジに分類される図鑑を選択することを特徴とする請求項１に記載の画像表示機能付き光学機器。
【請求項８】
前記距離情報が、光学系の繰り出し量に基づくことを特徴とする請求項１に記載の画像表示機能付き光学機器。
【請求項９】
複数の図鑑に対応する図鑑データを格納する記録媒体であって、前記複数の図鑑を参照する際の優先度を決定するための情報が格納されていることを特徴とする記録媒体。
【発明の詳細な説明】
【技術分野】
【０００１】
本発明は、画像表示機能が搭載された光学機器に関する。
【背景技術】
【０００２】
液晶モニタが搭載されたデジタルカメラ機能付き観察用光学機器として、デジタルカメラ機能付双眼鏡が知られている。デジタルカメラ機能付き双眼鏡では、接眼レンズを通して複眼視される映像と略同一の画像を液晶モニタに表示できるとともにデジタル画像として記録可能である。
【特許文献１】特開２００３−１０７３６９号公報
【発明の開示】
【発明が解決しようとする課題】
【０００３】
双眼鏡は、バードウォッチングやスポーツ観戦などに用いられることが多い。バードウォッチングやスポーツ観戦では、鳥、選手といった特定の対象が観察される。このとき双眼鏡利用者は、観察対象を漠然と観察するのではなく、観察対象の種類や個別の名称などを同定することが一般的である。例えばバードウォッチングでは鳥の種類であり、スポーツ観戦ではチーム名や選手の名前である。
【０００４】
本発明は、観察対象に関わる情報を簡単かつ迅速に表示可能な画像表示機能付き光学機器を得ることを目的としている。
【課題を解決するための手段】
【０００５】
本発明の画像表示機能付き光学機器は、複数の図鑑に対応する図鑑データが格納された記録媒体と、観察対象物までの距離に関わる距離情報を取得する距離情報取得手段と、距離情報に基づき、複数の図鑑の中から図鑑を選択する図鑑選択手段と、図鑑データの情報を表示可能な画像表示手段とを備えたことを特徴としている。
【０００６】
記録媒体は、観察対象物の種々の属性に基づき分類される所定のカテゴリごとに形成された階層ディレクトリ構造を有し、階層ディレクトリの最上位のカテゴリが複数の図鑑に対応したディレクトリとして構成されることが好ましい。このとき記録媒体において、観察対象物の種類を特定する画像データが図鑑データとして最下位ディレクトリの各々に格納されるとともに、各ディレクトリを代表する画像データがガイド用データとして格納されることが好ましい。このように構成することにより、簡単なプログラムで図鑑データを検索、参照することが可能となる。
【０００７】
図鑑に対応するディレクトリ名には、距離情報に対応する文字列が含まれることが好ましく、距離情報に対応する文字列は例えば所定の桁数の数字に対応している。また、図鑑は観察対象物が含まれると推定される複数の距離レンジに基づいて分類され、図鑑選択手段は、取得された距離情報に対応する距離レンジに分類される図鑑を選択することが好ましい。また更に、上記文字列が距離レンジに対応する情報を含むことが好ましい。これにより、簡単なデータ構造であっても、観察対象物までの距離に応じて簡単に目的とする図鑑を参照することができるシステムを提供することができる。このとき、距離情報は、光学系の繰り出し量に基づいた情報であることが好ましい。すなわち、繰り出し量を用いることにより、観察対象物までの距離を測定するための機構を別途設けなくて済む。
【０００８】
また、本発明の記録媒体は、複数の図鑑に対応する図鑑データを格納する記録媒体であって、複数の図鑑を参照する際の優先度を決定するための情報が格納されたことを特徴としている。
【発明の効果】
【０００９】
以上のように、本発明によれば、観察対象に関わる情報を簡単かつ迅速に表示可能な画像表示機能付き光学機器を得ることができる。
【発明を実施するための最良の形態】
【００１０】
以下、本発明の実施の形態を、図面を参照して説明する。
図１は、本発明の一実施形態であるデジタルカメラ機能付き双眼鏡の外観を接眼レンズ側（背面側）から見たときの斜視図である。
【００１１】
双眼鏡１０の背面には、一対の接眼部１１Ｒ、１１Ｌが設けられ、その上面の略中央には、ＬＣＤなどの画像表示装置１２が設けられる。画像表示装置１２の手前（図１において）には合焦のための転輪１３が設けられる。画像表示装置１２は、パネル状に成形されており、上面と正面の稜線に沿った軸を回転軸に開閉自在である。すなわち、画像表示装置１２が開かれると、画面は背面方向に向けて略直立される。また、画像表示装置１２が閉じられると、画面は双眼鏡１０の上面に臥せられる。なお、撮影用の光学系（図示せず）の合焦動作は、接眼部１１Ｌ、１１Ｒを含む双眼鏡用光学系の合焦動作に連動しており、転輪１３を用いて行なわれる。また、転輪１３と画像表示装置１２との間には、マクロ切替スイッチ３１が設けられる。
【００１２】
双眼鏡１０の上面右手前側にはレリーズスイッチ１４が設けられる。レリーズスイッチ１４の後側（正面より）には、メニュキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１０の側面には、メモリカード等の記録媒体を挿入するためのカードスロット１９が設けられる。
【００１３】
図２に、図１のデジタル機能付き双眼鏡１０の電気的な構成を示すブロック図を示す。
【００１４】
撮影用光学系２０を介して入射された被写体像は、撮像ブロック２１内のＣＣＤなどの撮像素子で結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００１５】
キャプチャ回路２２は、撮像ブロック２１からの画像信号（画像データ）をレリーズスイッチ１４の操作に応じて一時的に保存する回路である。例えば、撮像素子で撮像された画像を画像表示装置１２にシースルー画像として表示する場合には、間引きした画像信号を随時プロセッサ２３に出力し、バスＢＳを介して画像表示装置１２に動画として表示する。レリーズスイッチ１４が操作されると、例えば間引きを行っていない画像データを図示しないメモリに一時的に保存する。
【００１６】
キャプチャ回路２２に保存された画像データは、プロセッサ２３及びバスＢＳを介して画像表示装置１２に静止画像として表示される。なお、撮像ブロック２１、キャプチャ回路２２は、タイミングジェネレータ２４からの同期信号により制御され、タイミングジェネレータ２４は、プロセッサ２３により制御される。また、マクロ切替スイッチ３１やレリーズスイッチ１４等のスイッチ類を含むスイッチ群２５、繰り出し量検出センサ３０は、バスＢＳを介してプロセッサ２３に接続される。なお、繰り出し量検出センサ３０は、転輪１３の回転に連動して繰り出される撮影用光学系２０の所定位置（無限遠合焦位置）からの繰り出し量を検出するためのセンサである。
【００１７】
プロセッサ２３には、更にＩ／Ｏコントロール回路２６が接続され、Ｉ／Ｏコントロール回路２６には、記録媒体制御回路２７が接続される。記録媒体制御回路２７は、ＩＣメモリカード等の記録媒体Ｍが着脱自在に装着される記録媒体装着部２７ａを有しており、記録媒体装着部２７ａに装着された記録媒体Ｍの記憶容量やファイル階層、現在の空き領域を検出するとともに、記録媒体Ｍへのデータの書き込みや、記録媒体Ｍからのデータの読み出しが行なわれる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。また、例えば記録媒体Ｍに記録されている画像データは、記録媒体制御回路２７、Ｉ／Ｏコントロール回路２６、プロセッサ２３、バスＢＳを介してワークＲＡＭ２８に転送することが可能である。なお、プロセッサ２３は、ＲＯＭ２９に記録されたシステムプログラムに従って駆動される。
【００１８】
次に図３〜図１１を参照して、本実施形態においてプロセッサ２３において実行される参照画像表示処理動作について説明する。
【００１９】
図３は、記録媒体Ｍに形成されたフォルダ（ディレクトリ）の階層構造を例示した図である。図３に示されるように、記録媒体Ｍのルート（ルートディレクトリ）には、フォルダ「ＤＣＩＭ」と、フォルダ「ＧＵＩＤＥ１０１」、「ＧＵＩＤＥ１０２」、・・・、「ＧＵＩＤＥ２０１」、・・・、「ＧＵＩＤＥ３０１」、「ＧＵＩＤＥ３０２」、・・・などの複数のフォルダが存在する。フォルダ「ＤＣＩＭ」は、デジタルスチルカメラで撮影された画像ファイルを格納しておくためのフォルダである。すなわち、プロセッサ２３が、通常のデジタルカメラとしての処理を実行している間（参照画像表示処理動作の起動前）、カレントフォルダは「ＤＣＩＭ」の下にある所定のフォルダにある。そして、撮影画像は記録媒体Ｍの空き領域に、例えばＪＰＥＧ形式の画像データとして記録され、この画像データは「ＤＣＩＭ」フォルダの下にある所定のフォルダ内に格納されたファイルとして管理される。
【００２０】
一方、「ＧＵＩＤＥ１０１」、「ＧＵＩＤＥ２０１」、「ＧＵＩＤＥ３０１」など、「ＧＵＩＤＥ」＋「３桁の番号」のフォルダは、何らかの分野の電子的な図鑑に対応するフォルダであり、「３桁の番号」の百の位の数字は、観察対象物までの距離に対応している。本実施形態では、１００番台のフォルダには、観察対象物までの距離が一般に遠距離レンジ（例えば２ｍ以上）となる分野の図鑑が割り当てられ、２００番台のフォルダには、観察対象物までの距離が一般に中距離レンジ（例えば２ｍ以下４０ｃｍ以上）となる分野の図鑑が割り当てられる。また、３００番台のフォルダには、観察対象物までの距離が一般に近距離レンジ（例えば４０ｃｍ以下）となる分野の図鑑が割り当てられる。例えば「ＧＵＩＤＥ１０１」は「鳥の図鑑」に対応し、フォルダ「ＧＵＩＤＥ１０２」は「野球の図鑑」に、「ＧＵＩＤＥ１０３」は「サッカーの図鑑」に対応する。また、「ＧＵＩＤＥ２０１」は例えば「絵画の図鑑」に対応し、「ＧＵＩＤＥ３０１」は「花の図鑑」、「ＧＵＩＤＥ３０２」は「切手の図鑑」、「ＧＵＩＤＥ３０３」は「コインの図鑑」に対応する。後に詳述するが、本実施形態では、光学系の繰り出し量やマクロ切替スイッチ３１のＯＮ／ＯＦＦ状態に基づいて、観察対象物が含まれるであろう距離レンジを推定し、その距離レンジに割り振られた図鑑を優先的に参照する。なお、３桁のうち下２桁の数字は、例えばその距離レンジ内における図鑑の優先順位に対応する。
【００２１】
各フォルダ「ＧＵＩＤＥ＊＊＊」の下には、観察対象物をその分野におけるカテゴリに基づいて絞り込めるように、各カテゴリに対応するフォルダが階層的に構築されている。図４を参照して、「鳥の図鑑」と「花の図鑑」に対応するフォルダ「ＧＵＩＤＥ１０１」、「ＧＵＩＤＥ２０１」を例に説明すると、例えば、「ＧＵＩＤＥ１０１」、「ＧＵＩＤＥ２０１」のフォルダの下には、「春」、「夏」、「秋」、「冬」の４つの季節に対応したフォルダが存在し、「ＧＵＩＤＥ１０１」のフォルダの下の「春」、「夏」、「秋」、「冬」のフォルダの下には例えば「山」、「海」、「街」など、観察する場所に対応したフォルダが各々設けられる。また、「ＧＵＩＤＥ２０１」の「春」、「夏」、「秋」、「冬」のフォルダの下にも同様に例えば「山」、「湿原」、「街」など、観察する場所に対応したフォルダが各々設けられる。また、「山」、「海」、「街」や「山」、「湿原」、「街」などの場所に対応したフォルダの下には、例えば「大」、「中」、「小」等の鳥や花の大きさに対応するフォルダが各々設けられる。なお、図３では、フォルダ「春」の下にある「山」、「海」、「街」のフォルダ、または「山」、「湿原」、「街」のフォルダと、「山」の下にある「大」、「中」、「小」のフォルダのみが示されおり、他は省略されている。
【００２２】
「ＧＵＩＤＥ１０１」の各季節、各場所のフォルダの下にある大中小のフォルダには、それぞれ季節、場所、大きさで分類された鳥の画像ファイルと、この画像ファイルに関連する情報が含まれるファイルが格納されている。同様に、「ＧＵＩＤＥ２０１」の各季節、各場所のフォルダの下にある大中小のフォルダには、それぞれ季節、場所、大きさで分類された花の画像ファイルと、この画像ファイルに関連する情報が含まれるファイルが格納されており、これらのことは「鳥の図鑑」や「花の図鑑」以外の図鑑に対応するフォルダに対しても同様である。以下、「鳥の図鑑」を例に説明を行う。
【００２３】
図５に、「￥ＧＵＩＤＥ１０１￥秋￥街￥小」に、格納されているファイルの一例を示す。例えばファイル「ツグミ．ｊｐｇ」は鶫の画像ファイルであり、「ツグミ．ｊｐｅｇ」は、「ツグミ．ｊｐｇ」の画像に鳥の名前等の文字情報を合成した画像ファイルである。また、「ツグミ．ｗａｖ」は、鶫の声を録音した音声データである。図６（ａ）、（ｂ）に「ツグミ．ｊｐｇ」、「ツグミ．ｊｐｅｇ」の画像の一例を示す。なお、図５には、鶫と鵯に関するファイルのみが示されているが、「￥ＧＵＩＤＥ１０１￥秋￥街￥小」には、秋に街で見られる様々な小型の鳥の画像ファイルとその鳥の音声ファイルが格納される。また、四季を通じて見られる鳥や、例えば山でも街でも見られるような鳥に関しては、複数のフォルダに同一のファイルが重複して格納されている。
【００２４】
一方、フォルダ「ＧＵＩＤＥ１０１」には、図７に例示するビットマップデータが格納されている。「ａｒｅａ１．ｂｍｐ」、「ａｒｅａ２．ｂｍｐ」、「ａｒｅａ３．ｂｍｐ」のファイルは、それぞれ「山」、「海」、「街」のフォルダに対応しており、「ｓｅａｓｏｎ１．ｂｍｐ」、「ｓｅａｓｏｎ２．ｂｍｐ」、「ｓｅａｓｏｎ３．ｂｍｐ」、「ｓｅａｓｏｎ４．ｂｍｐ」のファイルは、それぞれ「春」、「夏」、「秋」、「冬」のフォルダに対応している。また、「ｓｉｚｅ１．ｂｍｐ」、「ｓｉｚｅ２．ｂｍｐ」、「ｓｉｚｅ３．ｂｍｐ」のファイルは、それぞれ「大」、「中」、「小」のフォルダに対応し、「ｔｉｔｌｅ．ｂｍｐ」のファイルは、「鳥の図鑑」であるフォルダ「ＧＵＩＥＤ１０１」に対応している。
【００２５】
以上のように、フォルダ「ＧＵＩＤＥ１０１」には、上述の各画像ファイルが格納されている。これらは、「花の図鑑」に対応する「ＧＵＩＤＥ２０１」や「ＧＵＩＤＥ」をフォルダ名の頭に冠する他のフォルダに関しても同様である。なお、野球やサッカーの場合には、チーム名や、国籍などのカテゴリに基づくフォルダが階層化され、切手やコインの場合には、国名や発行年代などのカテゴリに基づくフォルダが階層化される。
【００２６】
図８に、「ＧＵＩＤＥ１０１」、「ＧＵＩＤＥ２０１」のフォルダに格納されたビットマップデータの一例を示す。左の列は「ＧＵＩＤＥ１０１」（鳥の図鑑）に格納されている「ｔｉｔｌｅ．ｂｍｐ」（鳥の図鑑）、「ｓｅａｓｏｎ３．ｂｍｐ」（秋）、「ａｒｅａ３．ｂｍｐ」（街）、「ｓｉｚｅ３．ｂｍｐ」（小）各々のビットマップデータである。また、右の列は「ＧＵＩＤＥ２０１」（花の図鑑）に格納されている「ｔｉｔｌｅ．ｂｍｐ」（花の図鑑）、「ｓｅａｓｏｎ２．ｂｍｐ」（夏）、「ａｒｅａ２．ｂｍｐ」（湿原）、「ｓｉｚｅ２．ｂｍｐ」（中）各々のビットマップデータである。なお、上記「ＧＵＩＤＥ１０１」、「ＧＵＩＤＥ２０１」等のフォルダに格納されるビットマップファイル（ｂｍｐファイル）及び画像ファイル（ＪＰＧまたはＪＰＥＧファイル）の容量は、いずれも画像表示装置１２の表示画素数を満足すればよいので、撮影画像のファイルに比べて非常に小さくて済む。したがって、記録媒体Ｍに関しては、撮影画像を格納するために利用される空き領域を十分に確保できる。
【００２７】
なお、本実施形態では、鳥や花などの画像ファイル（拡張子ＪＰＧのファイル）の他に、同じ鳥や花などの画像に名前の文字情報を合成した画像ファイル（拡張子ＪＰＥＧのファイル）を用意している。これは、画像ファイルの表示を交互に切り替え表示した場合には、視覚的に文字情報のみ表示と非表示が切り替わるように見せ、表示装置上における文字情報と対象物の視認性を共に向上させるためである。
【００２８】
図９〜図１１は、本実施形態の参照画像表示処理動作のプログラムのフローチャートである。この参照画像表示処理動作は、例えばメニュキー１５が所定の時間に渡って長押しされた場合に割込み処理等により開始される。なお、参照画像表示処理動作が実行される前において、プロセッサ２３では、通常のデジタルカメラと同様のプログラムが実行されている。
【００２９】
ステップＳ１０１では、ＩＣメモリカードのルートディレクトリにあり、遠距離レンジに対応する１００番台、中距離レンジに対応する２００番台、近距離レンジに対応する３００番台の番号が附されたフォルダ「ＧＵＩＤＥ１＊＊」、「ＧＵＩＤＥ２＊＊」、「ＧＵＩＤＥ３＊＊」が各々検索され、それぞれのフォルダ数が計数される。計数された結果はそれぞれ遠距離レンジのファイル総数Ｎ（１）、中距離レンジのファイル総数Ｎ（２）、近距離レンジのファイル総数Ｎ（３）に格納される。なお、本実施形態では、ファイルに附される番号が３桁であることから、変数Ｎ（１）、Ｎ（２）、Ｎ（３）は２桁の数である。
【００３０】
ステップＳ１０２では、近距離レンジ（例えば４０ｃｍ以下）の対象物を撮影するマクロモードにデジタルカメラを設定するためのマクロ切替スイッチ３１がＯＮ状態であるか否かが判定される。マクロ切替スイッチ３１がＯＮ状態ではないと判定されると、ステップＳ１０３において、レンズ繰り出し量検出センサ３０において検出された撮影光学系２０の合焦用レンズ（不図示）の繰り出し量（無限遠合焦位置を０とした繰り出し量）と既知の撮影光学系２０の焦点距離とに基づいて観察対象物までの距離を算出し、観察対象物までの距離が遠距離レンジと中距離レンジの境界を定義する所定値（例えば２ｍ）よりも小さいか否かが判定される。観察対象物までの距離が所定値よりも大きい場合は、ステップＳ１０４において変数Ｉの値は１に設定され、ステップＳ１０５において変数Ｋの値がＫ＝１＋Ｉ×１００に設定される。ここで、変数ＩはステップＳ１０１において計数される遠距離レンジ、中距離レンジ、近距離レンジのファイル総数に対応する変数Ｎ（Ｉ）のインデックス番号に対応し（ファイル名に附された３桁の番号の１００の位の数字に対応）、Ｉ＝１、２、３を取り得る。また変数Ｋは、選択されるカレントフォルダ「ＧＵＩＤＥ＊＊＊」の３桁の番号を表わす。なお、以下において、番号Ｋが附された「ＧＵＩＤＥ＊＊＊」のフォルダを「ＧＵＩＤＥ＿Ｋ」で表わす。
【００３１】
一方、ステップＳ１０２においてマクロ切替スイッチ３１がＯＮ状態にあると判定されたときにはステップＳ１０６において変数Ｉの値が３に設定され、ステップＳ１０３において繰り出し量から算出された距離が所定値よりも小さい（中距離レンジである）と判定された場合には、ステップＳ１０７において変数Ｉの値が２に設定される。すなわち、マクロ切替スイッチ３１がＯＮ状態とされているときには、変数Ｋの値を３０１に初期設定し、マクロ切替スイッチ３１がＯＮ状態ではなく、かつ繰り出し量から中距離レンジに観察対象物があると判定される場合には、変数Ｋの値を２０１に初期設定し、それ以外（遠距離レンジに観察対象物がある）と判定された場合には、変数Ｋの値を１０１に初期設定する。
【００３２】
ステップＳ１０８では、カレントフォルダが「ＧＵＩＤＥ＿Ｋ」のフォルダに変更される。例えば、マクロ切替スイッチ３１がＯＦＦ状態で、観察対象物までの距離が１０ｍ前後の距離に対応しているとき、変数Ｋの値は１０１に設定され、カレントフォルダは「鳥の図鑑」に対応する「ＧＵＩＤＥ１０１」のフォルダに変更される。また、例えばマクロ切替スイッチ３１がＯＮ状態の場合には、変数Ｋの値は３０１に設定され、カレントフォルダは「花の図鑑」に対応する「ＧＵＩＤＥ３０１」のフォルダに変更される。そして、ステップＳ１０９では、カレントフォルダである「ＧＵＩＤＥ＿Ｋ」に対応するビットマップデータ「ｔｉｔｌｅ．ｂｍｐ」が画像表示装置１２に表示される。
【００３３】
ステップＳ１１０〜ステップＳ１１３では、順次ＯＫキー１８、上下矢印キー１７Ｕ、１７Ｄ、メニュキー１５が操作された否かが判定され、その操作内容に応じて所定の処理が行なわれる。すなわち、ステップＳ１１０では、ＯＫキー１８が押されたかが判定され、ステップＳ１１１ではアップキー１７Ｕが押されたか否かが判定され、ステップＳ１１２ではダウンキー１７Ｄが押されたか否かが判手される。また、ステップＳ１１３では、メニュキー１５が長押しされたか否かが判定される。
【００３４】
ステップＳ１１０でＯＫキー１７Ｒが操作されたと判定されると、ステップＳ１１４において、カレントフォルダ「ＧＵＩＤＥ＿Ｋ」の下位のフォルダに移動し、後述するステップＳ１４０以下の処理が実行される。ステップＳ１１１では、アップキー１７Ｕが押された否かが判定され、アップキー１７Ｕが押された場合には、ステップＳ１１５においてＫ＝Ｎ（Ｉ）＋Ｉ×１００であるか否かが判定される。すなわち、変数Ｋの値が１００番台の数字がＩのフォルダのうちで、最大の番号が附されたフォルダに対応しているか否かが判定される。Ｋ＝Ｎ（Ｉ）＋Ｉ×１００でない場合には、ステップＳ１１６において変数Ｋの値が１インクリメントされ、ステップＳ１０８に戻る。すなわち、「ＧＵＩＤＥ＿Ｋ」から「ＧＵＩＤＥ＿Ｋ＋１」のフォルダにカレントフォルダが変更される。
【００３５】
一方、ステップＳ１１５において、Ｋ＝Ｎ（Ｉ）＋Ｉ×１００であると判定された場合には、ステップＳ１１７においてＩ＝３であるか否かが判定される。Ｉ＝３でない場合には、ステップＳ１１８において、変数Ｉの値が１インクリメントされ、ステップＳ１１９において変数Ｋの値がＩ×１００に設定される。その後、ステップＳ１１６において変数Ｋの値が１インクリメントされて、ステップＳ１０８においてカレントフォルダが更新されたＫの値に対応するフォルダに変更される。例えば、Ｎ（１）＝２３、Ｋ＝１２３のとき、カレントフォルダ「ＧＵＩＤＥ１２３」は「ＧＵＩＤＥ２０１」に変更される。また、ステップＳ１１７においてＩ＝３であると判定された場合には、ステップＳ１２０において変数Ｉの値が１にリセットされた後、ステップＳ１１９以下の処理が同様に行われる。例えば、Ｎ（３）＝３４、Ｋ＝３３４のとき、カレントフォルダ「ＧＵＩＤＥ３３４」は「ＧＵＩＤＥ１０１」に変更される。
【００３６】
ステップＳ１１２では、ダウンキー１７Ｄが押された否かが判定され、ダウンキー１７Ｄが押された場合には、ステップＳ１２１においてＫ＝１＋Ｉ×１００であるか否かが判定される。すなわち、変数Ｋの値が１００番台の数字がＩのフォルダのうちで、最小の番号が附されたフォルダに対応しているか否かが判定される。Ｋ＝１＋Ｉ×１００でない場合には、ステップＳ１２２において変数Ｋの値が１デクリメントされ、ステップＳ１０８に戻る。すなわち、「ＧＵＩＤＥ＿Ｋ」から「ＧＵＩＤＥ＿Ｋ−１」のフォルダにカレントフォルダが変更される。
【００３７】
一方、ステップＳ１２１において、Ｋ＝１＋Ｉ×１００であると判定された場合には、ステップＳ１２３においてＩ＝１であるか否かが判定される。Ｉ＝１でない場合には、ステップＳ１２４において、変数Ｉの値が１デクリメントされ、ステップＳ１２５において変数Ｋの値がＮ（Ｉ）＋Ｉ×１００に設定される。その後、ステップＳ１０８に戻り、カレントフォルダが更新されたＫの値に対応するフォルダに変更される。例えば、Ｎ（２）＝２４で、Ｋ＝３０１のとき、カレントフォルダ「ＧＵＩＤＥ３０１」は「ＧＵＩＤＥ２２４」に変更される。また、ステップＳ１２３においてＩ＝１であると判定された場合には、ステップＳ１２６において変数Ｉの値が３に設定され、ステップＳ１２５以下の処理が同様に行われる。例えば、Ｎ（３）＝３４、Ｋ＝１０１のとき、カレントフォルダ「ＧＵＩＤＥ１０１」は「ＧＵＩＤＥ３３４」に変更される。
【００３８】
ステップＳ１１３ではメニュキー１５が長押しされたか否かが判定される。メニュキー１５の長押しがされてない場合には、ステップＳ１１０以下の処理が繰り返される。一方、メニュキー１５が長押しされた場合には、この参照画像表示処理動作のプログラムは終了する。なお、以上のステップＳ１１０〜ステップＳ１１３の処理は上下矢印キー１７Ｕ、１７Ｄ、ＯＫキー１８が押されるか、メニュキー１５が長押しされるまで繰り返される。
【００３９】
次にＯＫキー１８が押され、カレントフォルダ「ＧＵＩＤＥ＿Ｋ」が選択されたときに実行されるステップＳ１４０以下の処理について説明する。以下の説明では、「鳥の図鑑」である「ＧＵＩＤＥ１０１」のフォルダが選択された場合を例に説明する。すなわち、ステップＳ１０９において、カレントフォルダは「ＧＵＩＤＥ１０１」にあり、「鳥の図鑑」の「ｔｉｔｌｅ．ｂｍｐ」が画像表示装置１２上に表示された状態で、ＯＫキー１８が押された場合に対応する。図４に示されるように「ＧＵＩＤＥ１０１」の下には、「春」、「夏」、「秋」、「冬」のサブフォルダが存在し、ステップＳ１１４では、その中で最初に検索されるサブフォルダにカレントフォルダが移動される。例えば、サブフォルダの検索順序が図４の順番に従うとき、最初に検索されるのは「春」のフォルダなので、カレントフォルダはステップＳ１１４において「春」のフォルダに移される。ステップＳ１４０では、カレントフォルダに対応する画像、又はファイルが選択されている場合にはカレントファイルに対応する画像が画像表示装置１２に表示されるが、ステップＳ１１４が実行された直後において、カレントフォルダは「春」のフォルダにあるため、このフォルダに対応する「ｓｅａｓｏｎ１．ｂｍｐ」の画像が画像表示装置１２に表示される。
【００４０】
ステップＳ１４１〜ステップＳ１４６では、矢印キー１７Ｕ、１７Ｄ、１７Ｒ、１７Ｌ、メニュキー１５、ＯＫキー１８が操作された否かが判定され、その操作内容に応じて所定の処理（ステップＳ１４７〜Ｓ１５１）が行なわれる。すなわち、ステップＳ１４１では、アップキー１７Ｕが押されたか否かが判定され、ステップＳ１４２ではダウンキー１７Ｄが押されたか否かが判手される。また、ステップＳ１４３では、左右の矢印キー１７Ｌ、１７Ｒが押されたか否かが判定される。また更に、ステップＳ１４４ではメニュキー１５、ステップＳ１４５ではＯＫキー１８が押されたかが判定され、ステップＳ１４６ではメニュキー１５が長押しされたか否かが判定される。
【００４１】
ステップＳ１４１でアップキー１７Ｕが操作されたと判定されると、ステップＳ１４７において、カレントのフォルダが、上位の階層のフォルダに変更され、その後処理はステップＳ１４０に戻り変更されたフォルダに対応する画像を表示する。例えばカレントのフォルダが「￥ＧＵＩＤＥ１０１￥秋￥街」の状態では、画像表示装置１２には図８の左列、上から３番目の画像が表示されており、このときにアップキー１７Ｕが操作されると、フォルダは「￥ＧＵＩＤＥ１０１￥秋」に変更され、画像表示装置１２には図８の左列、上から２番目の画像が表示される。なお、上位の階層がルートディレクトリのときはフォルダの変更を行わない。
【００４２】
ステップＳ１４２において、ダウンキー１７Ｄが操作されたと判定された場合には、カレントのフォルダの下にあるフォルダが検索され、初めに検索されたフォルダにカレントフォルダは移る。また、下位のフォルダが存在しない場合には、初めに検索されたファイルが選択される。なお、デフォルトでは、「＊＊＊．ｊｐｇ」のファイルが選択されるように設定されている。
【００４３】
ステップＳ１４８において、下位のフォルダまたはファイルが選択されると、ステップＳ１４０において、選択されたフォルダまたはファイルに対応する画像が表示される。例えば、カレントフォルダが「￥ＧＵＩＤＥ１０１￥秋￥街」のときにダウンキー１７Ｄが操作されると、このフォルダの下にある「大」のフォルダが初めに検索され、これに対応するファイル「ｓｉｚｅ１．ｂｍｐ」の画像が画像表示装置１２に表示される。また、カレントのフォルダが「￥ＧＵＩＤＥ０１￥秋￥街￥小」のときにダウンキー１７Ｄが操作されると、このフォルダの下には、フォルダが存在しないので、「＊＊＊．ｊｐｇ」のファイルが検索される。例えば初めに検索されたファイルが「ツグミ．ｊｐｇ」のとき、画像表示装置１２には、図６（ａ）の画像が表示される。
【００４４】
ステップＳ１４３において、左右キー１７Ｌ、１７Ｒが押されたと判定された場合には、ステップＳ１４９において、前のまたは次のフォルダ（またはファイル）が検索される。例えば左キー１７Ｌが押されると、前のフォルダ（またはファイル）が検索され、右キー１７Ｒが押されると、次のフォルダ（またはファイル）が検索される。例えばカレントフォルダが「￥ＧＵＩＤＥ１０１￥秋￥山」のときに右キー１７Ｒが操作されると、カレントフォルダは「￥ＧＵＩＤＥ１０１￥秋￥海」に変更される。その後処理は、ステップＳ１４０に戻り「￥ＧＵＩＤＥ１０１￥秋￥海」のフォルダに対応する画像が表示される。なお、ライトキー１７Ｒによるフォルダの変更は、「山」→「海」→「街」→「山」と循環的に行われ、レフトキー１７Ｌによる変更は、これとは逆に循環的に行われる。また、ファイルに関しても同様であり、左右キー１７Ｌ、１７Ｒにより、選択されるファイルが循環的に変更され、画像表示装置に対応する画像が表示される。
【００４５】
ステップＳ１４４において、メニュキー１５が押されたと判定された場合には、ステップＳ１５０において、ステップＳ１４８又はステップＳ１４９で選択されるファイルの変更が行なわれステップＳ１４０へ戻る。すなわち、デフォルトでは「＊＊＊．ｊｐｇ」のファイルが選択の対象となっているが、メニュキー１５が操作されると、選択対象となるファイルは「＊＊＊．ｊｐｅｇ」に変更される。また、逆に、「＊＊＊．ｊｐｅｇ」のファイルが選択の対象となっているときにメニュキー１５が操作されると、選択対象となるファイルは「＊＊＊．ｊｐｇ」に変更される。例えば、既に「ツグミ．ｊｐｇ」のファイルが選択されているときにメニュキー１５が押されると、選択ファイルが「ツグミ．ｊｐｅｇ」に変更され、画像表示装置１２には、図６（ｂ）の画像が表示される。
【００４６】
ステップＳ１４５において、ＯＫキー１８が押されたと判定されると、ステップＳ１５１において、選択されているファイルに対応する音声ファイルが開かれ、画像表示装置１２に表示された鳥の鳴き声がスピーカ３０（図２参照）から流れるとともに処理はステップＳ１４０へ戻る。例えば、「ツグミ．ｊｐｇ」のファイルが選択されているときにＯＫキー１８が押されると、「ツグミ．ｗａｖ」に録音された鶫の鳴き声が流れる。なお、ファイルが選択されていないときや、音声情報を必要としない図鑑が選択されているときには、このステップでは何も行われない。
【００４７】
ステップＳ１４６において、メニュキー１５が所定の時間に渡り長押しされたと判定されたときには、この参照画像表示処理のプログラムは終了し、通常のデジタルカメラの処理に復帰する。それ以外のときには、ステップＳ１４０以下の処理が繰り返し実行される。
【００４８】
なお、フォルダと画像データファイルとの対応は、例えばフォルダの順番と、ファイルの順番とを対応させて行ってもよいし、フォルダ名とファイル名を対応させて行ってもよい。
【００４９】
以上のように、本実施形態の双眼鏡では、鳥等の観察対象物が種々の属性に基づいて分類されるとともに、各カテゴリが階層的に組み合わされて構成され、これらの階層的な分類にしたがって記録媒体に観察対象物の画像ファイルや音声ファイル等の関連情報を含む関連情報ファイルとが記録されているので、観察時の状況に合わせて、簡便にこれらの画像ファイルや関連情報ファイルを検索し、双眼鏡に搭載された画像表示装置に参照画像として表示できる。したがって、現在観察している対象物と検索された参照画像を簡単に照合することができ、更に、これに付随する音声や名称等の関連情報を参照することができるので、容易に観察対象物の同定、あるいは観察対象物に関連する情報を得ることができる。また、本実施形態によれば、１つの記録媒体に多数の図鑑が並存する場合にも、観察対象物までの距離情報等に基づいて、参照される可能性の高い図鑑を優先的に選択候補として挙げることができるので、容易に所望の図鑑を検索することが可能となる。
【００５０】
また、本実施形態では、フォルダの階層構造により、観察対象物の分類を行っているので、極めて簡略な構成で上記検索システムを構成することができ、ユーザが自らデータベースを構築することも容易にできる。
【００５１】
本実施形態では、フォルダに対応する画像は、最上位のフォルダ（ＧＵＩＤＥ＊＊＊）に全て存在したが、フォルダ各々に、それぞれに対応する画像を配置してもよい。また、本実施形態では、画像ファイルとしてＪＰＥＧやＢＭＰを用い、音声ファイルとしてＷＡＶファイルを用いたが、他の様々な形式の画像ファイル、音声ファイルを用いることができることは言うまでもない。
【００５２】
本実施形態では、双眼鏡を例に説明を行ったが、デジタルカメラに応用することも可能であり、観察対象物との距離も、測距センサを用いて計測してもよい。また、本実施形態では、フォルダ（ディレクトリ）名の最後に３桁の番号を附したが、これは２桁でも４桁以上でもあってよいし、その位置も任意に選択に設定できる。また、距離レンジや優先順位に対応させるために番号を用いたが、所定の規則で並ぶ数字以外の文字列（キャラクタ）にこれを置き換えてもよい。また更に、本実施形態では、フォルダ名に距離レンジや優先順位に関わる情報を持たせたが、フォルダ名と距離レンジ、優先順位に関わる情報をテーブルファイルとして記録媒体に記録させておいてもよい。
【図面の簡単な説明】
【００５３】
【図１】本発明の一実施形態であるデジタルカメラ機能付き双眼鏡の外観を示す斜視図である。
【図２】図１に示された双眼鏡の電気的構成を示すブロック図である。
【図３】本実施形態におけるＩＣメモリカードに存在するフォルダ（ディレクトリ）の階層的な構造を模式的に示す図である。
【図４】「鳥の図鑑」、「花の図鑑」に対応するフォルダ「ＧＵＩＤＥ１０１」、「ＧＵＩＤＥ２０１」の階層的な構造を詳細に示す図である。
【図５】ＩＣメモリカードにおける「￥ＧＵＩＤＥ１０１￥秋￥街￥小」のフォルダに配置されたファイルの一例である。
【図６】図４に例示された「ツグミ．ｊｐｇ」及び「ツグミ．ｊｐｅｇ」の画像ファイルの一例である。
【図７】「鳥の図鑑」に対応するフォルダ「ＧＵＩＤＥ１０１」に配置され、カレントフォルダに対応して表示される画像ファイル名の一覧である。
【図８】「鳥の図鑑」、「花の図鑑」に対応するフォルダ「ＧＵＩＤＥ１０１」、「ＧＵＩＤＥ２０１」に格納された画像ファイルの一例である。
【図９】本実施形態における参照画像表示処理動作のプログラムのフローチャートである。
【図１０】図９のフローチャートの続きである。
【図１１】図１０のフローチャートの続きである。
【符号の説明】
【００５４】
１０  デジタルカメラ機能付き双眼鏡
１２  画像表示装置（ＬＣＤ）
１５  メニュキー
１７Ｒ、１７Ｌ、１７Ｕ、１７Ｄ  矢印キー
１８  ＯＫキー
１９  カードスロット
２３  プロセッサ
Ｍ  記録媒体（ＩＣメモリカード）
【図１】
2005078044.tif 000003
【図２】
2005078044.tif 000004
【図３】
2005078044.tif 000005
【図４】
2005078044.tif 000006
【図５】
2005078044.tif 000007
【図６】
2005078044.tif 000008
【図７】
2005078044.tif 000009
【図８】
2005078044.tif 000010
【図９】
2005078044.tif 000011
【図１０】
2005078044.tif 000012
【図１１】
2005078044.tif 000013